(57)【特許請求の範囲】
【請求項１】
上端部に複数の連結部を有する１つの下側脚部と、
貫通孔又は溝部を有する複数の支柱を有し、前記支柱を間隔を設けて各連結部に１つずつ連結した上側脚部と、
複数の前記支柱の端部が連結される１つの支柱取付部と、
前記支柱取付部を対象物に接続する脚取付部とを備え、
前記下側脚部は、前記支柱の延在方向に突出し前記支柱を支持する複数の突出部を備え、前記支柱を連結する前記連結部は、前記下側脚部と前記上側脚部との連結部分が前記突出部の下端よりも鉛直方向上方に位置するように各突出部の上側に設けられており、前記突出部を間隔を設けて各連結部に１つずつ備える支持脚。
【請求項２】
前記支柱は、前記脚取付部を介して前記貫通孔又は前記溝部に挿通された締結部材により前記下側脚部に固定される
請求項１に記載の支持脚。
【請求項３】
前記脚取付部は、前記支柱取付部を異なる角度で取付可能な取付孔を有する
請求項１又は２に記載の支持脚。
【請求項４】
前記上側脚部は鉛直方向に沿って延在し、前記下側脚部は、鉛直方向と交差する方向に延在する
請求項１〜３のいずれか１項に記載の支持脚。
【発明の詳細な説明】
【技術分野】
【０００１】
本発明は、テーブルの天板などの対象物を支持する支持脚に関する。
【背景技術】
【０００２】
例えば、テーブルの天板を支持する支持脚には、ダイカストなどの鋳造法により形成されたものがある（例えば、特許文献１参照）。ダイカストは、金属管などを加工して支持脚を製造する場合に比べ、デザインの自由度が高く、肉厚を部分的に変えることもできるなどの利点を有する。
【先行技術文献】
【特許文献】
【０００３】
【特許文献１】特開２０１４−９７１９８号公報
【発明の概要】
【発明が解決しようとする課題】
【０００４】
しかし、支持脚全体をダイカストなどの鋳造法により製造すると、金型が大きくなり、コスト高となる。更に、金属管などの加工により製造された支持脚に比べて重量が大きくなる傾向がある。一方、支持脚全体を金属管とすると、軽量化、コストの低減を図ることができるものの、金属管の形状により、強度やデザインの上の制約を受ける場合がある。
【０００５】
本発明は、上記問題点を解決するためになされたものであり、その目的は、強度やデザインの自由度を維持しつつ軽量化及びコストの低減を図ることのできる支持脚を提供することにある。
【課題を解決するための手段】
【０００６】
上記課題を解決する支持脚は、上端部に複数の連結部を有する下側脚部と、貫通孔又は溝部を有する支柱を複数有し、前記連結部に接続する上側脚部と、前記上側脚部を対象物に接続する脚取付部とを備える。上記構成によれば、支持脚の一部を貫挿孔又は溝部を有する支柱から構成するため、例えば支持脚全体を鋳造品とする場合に比べ、支持脚の軽量化及びコストの低減を図ることができる。また、支持脚の一部にのみ支柱を設ける構成としたので、支柱以外の部分においては、強度及びデザインの自由度を維持できる。
【０００７】
上記支持脚について、前記支柱は、前記脚取付部を介して前記貫通孔又は前記溝部に挿通された締結部材により前記下側脚部に固定されることが好ましい。上記構成によれば、支柱は、下側脚部に設けられた連結部への接続に加え、脚取付部を介して挿通された締結部材により下側脚部に固定される。このため、支柱を、下側脚部と脚取付部とに強固に固定することができる。
【０００８】
上記支持脚について、前記上側脚部は、複数の前記支柱の端部が取り付けられる支柱取付部を上端部に備え、前記脚取付部は、前記支柱取付部を異なる角度で取付可能な取付孔を有することが好ましい。上記構成によれば、上側脚部を固定する支柱取付部は、脚取付部に対して異なる角度で取り付けられるので、支持脚を備える家具などの用途に応じて、支持脚を所望の向きで取り付けることができる。
【０００９】
上記支持脚について、前記下側脚部は、前記支柱の延在方向に突出し前記支柱を支持する突出部を備え、前記支柱を連結する前記連結部は当該突出部の上側に設けられていることが好ましい。上記構成によれば、下側脚部の突出部により、支柱の下部を補強することができる。また、支柱及び突出部からなる細長状の部分の途中に、支柱と下側脚部との連結部が設けられるので、細長状の部分の下端に連結部を設けるよりも強度を高めることができる。
【００１０】
上記支持脚について、前記上側脚部は鉛直方向に沿って延在し、前記下側脚部は、鉛直方向と交差する方向に延在することが好ましい。上記構成によれば、支持脚を湾曲した形状又は屈曲した形状とする場合、下側脚部を鉛直方向に対して交差させる方向に湾曲又は屈曲させるので、上側脚部を簡単な構成とすることができる。
【発明の効果】
【００１１】
本発明の支持脚によれば、強度やデザインの自由度を維持しつつ軽量化及びコストの低減を図ることができる。
【図面の簡単な説明】
【００１２】
【図１】支持脚の一実施形態について、支持脚を適用したテーブルの構成を説明する斜視図。
【図２】同実施形態のテーブルについて、支持脚を互いに交差する方向に向けて取り付けた状態を示す底面図。
【図３】同実施形態のテーブルについて、支持脚を平行に取り付けた状態を示す底面図。
【図４】同実施形態の支持脚の分解斜視図。
【図５】図３の５−５線における断面図。
【図６】同実施形態の支持脚を脚取付部の裏面側からみた図。
【図７】支持脚の他の実施形態について、その概略構成を説明する正面図。
【図８】支持脚の他の実施形態について、その概略構成を説明する斜視図。
【発明を実施するための形態】
【００１３】
以下、図１〜図７を参照して、支持脚をテーブルに適用した一実施形態について説明する。
図１に示すように、テーブル１０は、長方形状の天板１１と、天板１１の下面に取り付けられた４つの支持脚１５とを備えている。支持脚１５は、脚部２０を備え、脚部２０は、下側脚部２１と、下側脚部２１の鉛直方向上方に連結された上側脚部２２とを有している。上側脚部２２は、鉛直方向に沿って延在し、下側脚部２１は、上端部から下端部にかけてテーブル１０の外側に向かって斜めに延びている。なお、「鉛直方向」とは、天板１１の上面及び下面に対して直交する方向であり、「水平方向」は、天板１１の上面及び下面と平行な方向である。
【００１４】
図２に示すように、天板１１の下面には、天板１１の長手方向に沿って延びる１対の突条１２が設けられている。それらの突条１２の間であって、突条１２の一方の端部側と他方の端部側には、細長状のブラケット１３がそれぞれ設けられている。ブラケット１３は、脚取付部１４を２つ備えている。脚取付部１４は、支持脚１５の一部を構成する。一つの脚取付部１４には、１本の脚部２０が取り付けられる。脚部２０は、天板１１の角部１６から中心に向かってオフセットされた位置に固定されている。
【００１５】
脚部２０は、脚取付部１４に対する取付角度を変更することにより、下側脚部２１の向きを変更することができる。例えば図２では、一つのブラケット１３に設けられた１対の脚部２０は、それらの下側脚部２１の延在方向がなす角度θ１が、例えば１２０度など、１８０度以下の所定角度となるように取り付けられている。
【００１６】
また、図３に示すように、１つのブラケット１３に設けられる１対の脚部２０は、それらの下側脚部２１の延在方向が同一面内となるように取り付けることも可能である。このとき、１対の脚部２０の下側脚部２１は、ブラケット１３の長手方向と平行に延びる。１対の脚部２０を、下側脚部２１の延在方向が１８０度未満の角度をなすように設ける場合（図２参照）は、１対の脚部２０の下側脚部２１が平行である場合（図３参照）に比べ、天板１１の長辺側のスペースが拡大される。このため、長辺側にのみユーザが着座する場合に適している。また、１対の脚部２０の下側脚部２１を平行とすると、天板１１の短辺側にもユーザが着座しやすくなる。
【００１７】
次に、図４〜図６を参照して、支持脚１５について詳述する。
図４に示すように、下側脚部２１の下端部には、アジャスタ２４が設けられている。下側脚部２１は、アルミニウムなどの金属単体、又はアルミニウム合金、亜鉛合金、銅合金、マグネシウム合金などの合金からなり、金型に溶融した金属を圧入するダイカストにより製造されている。下側脚部２１は、その上端部と下端部との間で湾曲し、湾曲した部分から下端部にかけて斜めに延びている。また、下側脚部２１は、延在方向に対して直交する方向の長さである幅Ｈが、下端部に向かうにつれて次第に狭くなっている。また、下側脚部２１の上端部には、上側脚部２２を支持する台座となる１対の突出部２６が設けられ、突出部２６の間には間隙が設けられている。突出部２６の上側からは、連結部２７が突出している。連結部２７は、上面に湾曲面を有する四角柱状に形成され、この湾曲面の底部には１つの連結孔２８が形成されている。連結孔２８の内側面には、雌螺子が形成されている。
【００１８】
上側脚部２２は、２つの支柱３０を備えている。支柱３０は、金属管であって、アルミニウム、銅などの金属単体、又はアルミニウム合金、ステンレス、銅合金などの合金からなる。支柱３０は、略四角筒状に形成され、その内側に両端で開口する貫通孔３２を有している。支柱３０の一方の端部には、下側脚部２１の連結部２７が内嵌され、支柱３０の他方の端部は、１枚の支柱取付部３１を介してブラケット１３側に取り付けられる。
【００１９】
支柱取付部３１は、略円盤状に形成され、支柱３０を取り付ける取付面には、支柱３０の他方の端部を内嵌する嵌合部３７が２箇所に設けられている。嵌合部３７の内側には、支柱３０に貫挿される貫挿ボルト３５を通すための挿通孔３３が設けられている。挿通孔３３は、支柱取付部３１の円形状の面の中心に対して対称となる位置にそれぞれ設けられている。貫挿ボルト３５の長さは、支柱よりも長く、その外周面には雄螺子が形成されている。また、支柱取付部３１には、支柱取付部３１をブラケット１３に固定するためのボルト４９を締結するための第１締結孔３４が形成されている。第１締結孔３４も、支柱取付部３１の円形状の面の中心に対して対称となる位置にそれぞれ設けられている。
【００２０】
ブラケット１３の脚取付部１４には、支柱取付部３１を取り付けるための３対の第２締結孔４０と、貫挿ボルト３５を通すための３対の取付孔４１とが設けられている。３対の取付孔４１のうち、いずれか１対を選択することによって、支柱取付部３１を回動させて、脚部２０の向きを変更させて固定する。
【００２１】
図５に示すように、下側脚部２１は、その内側に凹部４７が形成されることで軽量化されている。凹部４７の中央には、下側脚部２１を補強するためのリブ４８が形成されている。また、下側脚部２１の下端に設けられた孔４６には、アジャスタ２４に支持されたボルト２９が螺合されている。支柱３０は、一方の端部を下側脚部２１の連結部２７に外嵌し、他方の端部を支柱取付部３１の嵌合部３７に外嵌することにより支柱取付部３１に固定される。このように支柱３０と下側脚部２１とを連結する連結部２７は露出されないので、見栄えをよくすることができる。
【００２２】
また、脚部２０を、ブラケット１３の脚取付部１４に対して所望の向きで当接させ、ブラケット１３の裏面側から、１対の貫挿ボルト３５を脚取付部１４の取付孔４１に通す。さらに、貫挿ボルト３５を、支柱取付部３１の挿通孔３３、支柱３０の貫通孔３２、下側脚部２１の連結孔２８に順に通し、貫挿ボルト３５の雄螺子を連結孔２８の雌螺子に螺合する。このとき、貫挿ボルト３５の先端を、下側脚部２１の連結部２７に設けられた湾曲面に当接させることによって、この湾曲面の底部に設けられた連結孔２８に貫挿ボルト３５の先端を容易に導くことができる。また、支柱取付部３１の第１締結孔３４と、脚取付部１４の第２締結孔４０とにボルト４９が締結される。これにより、脚部２０がブラケット１３に対して取り付けられる。下側脚部２１及び上側脚部２２を連結したとき、支柱３０及び下側脚部２１の突出部２６は、ブラケット１３側から下方に延びる細長状の支持部３８を構成する。１対の支持部３８の間には間隙３９が設けられる。
【００２３】
また、下側脚部２１の延在方向と、上側脚部２２の支柱３０の延在方向である鉛直方向とがなす角度θ２は、９０度超１８０度未満である。また、２つの支柱３０を含む面を、鉛直方向Ｚと水平方向Ｘとに平行なＺ−Ｘ面とするとき、下側脚部２１は、Ｚ−Ｘ面に含まれる。すなわち、下側脚部２１の延在方向は、２本の支柱３０が並ぶ面と平行である。
【００２４】
次に、支持脚１５の作用について説明する。
図５に示すように、上側脚部２２を構成する支柱３０は、金属管からなるため、支持脚全体をダイカストにより製造する場合よりも支持脚１５が軽量となる。一方、支持脚１５の一部である下側脚部２１はダイカストにより製造されるため、デザインの自由度を高めるとともに、支持脚１５全体をダイカストにより製造する場合に比べて金型を小さくすることができる。さらに、支柱３０を下側脚部２１によって下方から支持する構造とすることにより、例えば支持脚１５を支柱３０のみから構成する場合に比べ、強度を高めることができる。また、金属管からなる上側脚部２２とダイカスト品である下側脚部２１とを上下に連結するため、金属管とダイカスト品とを略Ｔ字状に組み合わせたりする場合に比べ、支持脚１５をスリムな形状とすることができる。このため、優れた外観とするとともに、ユーザの着座や退座などといった動作を極力妨げないようにすることができる。
【００２５】
また、下側脚部２１の突出部２６は、支持部３８の一部として支柱３０を下方から支持する。また、下側脚部２１及び上側脚部２２の連結部分は、支持部３８の下端部よりも鉛直方向上方にある。すなわち、天板１１の揺れなどによって水平方向にも荷重が加わる支持部３８の下端と、比較的脆弱である下側脚部２１及び上側脚部２２の連結部分とを異なる位置に設けることができるので、支持脚１５の強度を高めることができる。また、下側脚部２１は、２つの支柱３０と同じ面に含まれるように設けられる。下側脚部２１に上方から加えられた荷重は、下側脚部２１に対し、２つの支柱３０を含む面内において下側脚部２１の延在方向とは逆の方向に傾動させるように作用する。支柱３０は、下側脚部２１と同一面内において、下側脚部２１と脚取付部１４との間で下側脚部２１が傾かないように支持することができる。
【００２６】
図６に示すように、ブラケット１３の脚取付部１４に形成された３対の取付孔４１は、同じ円周上に形成されている。３対の取付孔４１は、１対の第１取付孔５１と、第１取付孔５１に対して反時計回り方向に離れた位置に設けられた１対の第２取付孔５２と、第１取付孔５１に対して時計回り方向に離れた位置に設けられた１対の第３取付孔５３とに分けられる。すなわち、脚部２０は、脚取付部１４に対して３つの取付角度で取り付けることが可能である。
【００２７】
１対の支持脚１５を、その下側脚部２１の延在方向がブラケット１３の長手方向と平行となるように設けるとき（図３参照）、第１取付孔５１と、支柱取付部３１の挿通孔３３とを一致させる。そして、貫挿ボルト３５を、位置を一致させた挿通孔３３及び第１取付孔５１に通す。また、１対の支持脚１５を、その下側脚部２１の延在方向がブラケット１３の長手方向と交差するように設けるとき（図６参照）、第２取付孔５２と支柱取付部３１の挿通孔３３とを一致させるか、又は、第３取付孔５３と支柱取付部３１の挿通孔３３とを一致させる。第２取付孔５２及び第３取付孔５３のいずれを挿通孔３３と一致させるかは、天板１１に対する脚部２０の位置に応じて選択すればよい。このように脚取付部１４に対する脚部２０の角度を変更可能とすることにより、脚部２０をテーブルの用途に合わせた向きで取り付けることができる。
【００２８】
以上説明したように、上記実施形態によれば、以下に列挙する効果が得られるようになる。
（１）支持脚１５の一部を支柱３０から構成するため、例えば支持脚全体をダイカスト品とする場合に比べ、支持脚１５の軽量化を図ることができる。また、支持脚１５の一部にのみ支柱３０を設ける構成としたので、支柱３０以外の部分においてデザインの自由度を維持できる。
【００２９】
（２）支柱３０は、下側脚部２１に設けられた連結部２７への接続に加え、脚取付部１４を介して挿通された貫挿ボルト３５により下側脚部２１に固定される。このため、支柱３０を、下側脚部２１と脚取付部１４とに強固に固定することができる。
【００３０】
（３）複数の支柱３０が取り付けられる支柱取付部３１は、脚取付部１４に対して異なる角度で取り付けられるので、テーブル１０の用途に応じて、支持脚１５を所望の向きで取り付けることができる。
【００３１】
（４）下側脚部２１の突出部２６と支柱３０とを接続することにより、支柱３０を補強することができる。また、支柱３０及び突出部２６からなる細長状の支持部３８の途中に、支柱３０と下側脚部２１との連結部２７が設けられるので、支持部３８の下端に連結部を設けるよりも強度を高めることができる。
【００３２】
（５）湾曲した支持脚１５において、下側脚部２１を鉛直方向に対して交差する方向に延在させるので、上側脚部２２を簡単な構成とすることができる。
なお、上記各実施形態は、以下のように適宜変更して実施することもできる。
【００３３】
・図７に示すように、下側脚部２１は、支柱３０の延在方向と平行に延びる形状であってもよい。或いは、支柱３０の延在方向に対して鋭角に屈曲する形状でもよく、他の形状であってもよい。
【００３４】
・図８に示すように、下側脚部２１は、上端部から２つに分岐する形状であってもよい。下側脚部２１は、１対の分岐部６１を備え、分岐部６１の下端には、アジャスタ２４が設けられている。この態様においても、上側脚部２２にのみ支柱３０を設けることによって、支持脚１５を軽量化することができる。
【００３５】
・支柱３０は、例えば、円筒状、三角柱状など略四角筒状以外の形状であってもよい。
・下側脚部２１を、ダイカスト品としたが、砂を用いて作成された型に溶融した金属を流し込む砂型鋳造、金型に溶融した金属を流し込む金型鋳造など、その他の鋳造法により製造したものとしてもよい。
【００３６】
・脚取付部１４の３対の取付孔４１は、同じ円周上に形成されているとしたが、脚部２０を異なる角度で取り付けることができれば、同じ円周上に形成されていなくてもよい。
・下側脚部２１と上側脚部２２との連結部分を溶接するなど、下側脚部２１と上側脚部２２との連結部分において高い強度を確保できる場合には、支柱３０を支持する突出部２６や連結部２７を省略してもよい。
【００３７】
・上記実施形態では、下側脚部２１を、２つの支柱３０が含まれる面に含まれるように延在させた。これ以外に、下側脚部２１の延在方向を、２つの支柱３０が含まれる面に直交する方向、又はこの面に対して鋭角をなす方向にしてもよい。
【００３８】
・上記実施形態では、支持脚１５を、脚取付部１４に対して３つの取付角度で脚部２０を取り付け可能な構成とした。これ以外に、脚部２０を脚取付部１４に対して３つ以外の複数の取付角度で取り付け可能な構造であってもよいし、脚部２０を脚取付部１４に対して一つの取付角度で取り付けられるものであってもよい。
【００３９】
・上記実施形態では、支柱３０を、内側に挿通された貫挿ボルト３５によって、脚取付部１４及び下側脚部２１に固定したが、これ以外の構成により、支柱３０を脚取付部１４及び下側脚部２１に固定してもよい。例えば、支柱３０を円筒状に形成するとともに、その下端部の外周面に雄螺子を設け、支柱３０を下側脚部２１に設けられた雌螺子に螺合してもよい。
【００４０】
・上記実施形態では、支柱３０を、金属材から形成したが、脚部２０としての強度が確保できれば樹脂材から形成してもよい。
・上記実施形態では、支柱３０を四角筒状としたが、上側脚部２２を構成する支柱は、断面Ｈ字状、断面Ｉ字状、断面Ｌ字状など、その側面に溝部を有する形状であってもよい。この態様においては、支柱の溝部に貫挿ボルトが挿通されることにより、支柱を補強するとともに、支柱を下側脚部２１及び脚取付部１４に固定する。
【００４１】
・上記実施形態では、支持脚を、テーブルに適用したが、椅子、ソファ、床面に接地するタイプの照明器具、デスク、チェストなどの家具に適用してもよい。また、什器など、家具以外の対象物に適用してもよい。
【符号の説明】
【００４２】
１０…テーブル、１１…天板、１３…ブラケット、１４…脚取付部、１５…支持脚、２０…脚部、２１…下側脚部、２２…上側脚部、２４…アジャスタ、２７…連結部、２８…連結孔、３０…支柱、３１…支柱取付部、３２…貫通孔、３５…貫挿ボルト。
【図１】
0006687340.tif 000002
【図２】
0006687340.tif 000003
【図３】
0006687340.tif 000004
【図４】
0006687340.tif 000005
【図５】
0006687340.tif 000006
【図６】
0006687340.tif 000007
【図７】
0006687340.tif 000008
【図８】
0006687340.tif 000009